(57)【要約】【課題】グリルを備えていながら正面側のデザイン性を高めることができる、グリル付きシステムキッチンを提供する。【解決手段】グリル５付き加熱調理部３を有し、グリル口５ａが正面側に備えられたシステムキッチン１において、グリル付き加熱調理部３の正面側の全体を背後に隠す開閉可能な蓋６が備えられ、蓋６は、閉じた状態にすることによりグリル口５ａを隠蔽し、開いた状態にすることによりグリル口５ａを露出させるようになされており、かつ、蓋６の外面部は、システムキッチン１の正面側の収納等の他部８…の化粧面材９とデザイン的に統一のとられた化粧面材９で仕上げられている。【選択図】      図１
2006255038.tif 000002
【特許請求の範囲】
【請求項１】
グリル付き加熱調理部を有し、グリル口が正面側に備えられたシステムキッチンにおいて、
前記グリル付き加熱調理部の正面側の全体を背後に隠す開閉可能な蓋が備えられ、該蓋は、閉じた状態にすることによりグリル口を隠蔽し、開いた状態にすることによりグリル口を露出させるようになされており、かつ、
該蓋の外面部は、システムキッチン正面側の収納等の他部の化粧面材とデザイン的に統一のとられた化粧面材で仕上げられていることを特徴とするグリル付きシステムキッチン。
【発明の詳細な説明】
【技術分野】
【０００１】
本発明は、グリル付きシステムキッチンに関する。
【背景技術】
【０００２】
図２に示すように、国内で提供されているシステムキッチン５１は、グリル付きの加熱調理部５２を備えているのが一般的であり、グリル口５３はシステムキッチン５１の正面側に備えられており、また、調理操作部５４もグリル口５３を挟む両側に備えられ、グリル口５３も調理操作部５４もシステムキッチンの正面側の顔として存在している。
【特許文献１】特開平１１−２０６４８５号公報
【発明の開示】
【発明が解決しようとする課題】
【０００３】
ところで、本発明者は、システムキッチンのデザイン性を構造的側面から高めていく調査と研究を進めていくなかで、海外のシステムキッチンのなかには、システムキッチンの加熱調理部や収納部等を含む正面側のすべてがデザイン的に統一のとられた化粧面材で仕上げられたものがあり、正面側がスッキリとしたデザインのシステムキッチンが提供されているのを知った。そして、調査を行ったところ、そのシステムキッチンには、グリルは備えられておらず、加熱調理操作部はキッチンの天面部に備えられていた。
【０００４】
このような調査を背景に、発明者は、研究を重ねた結果、グリル付きのシステムキッチン５１では、グリル口５３の存在が、システムキッチン５１の正面側のデザイン性を高める上での大きな障害となっている事実を突き止めるに至った。その一方で、他国のように、グリルをシステムキッチンからなくしてしまうことは、特に国内の場合には難しいという事情もある。
【０００５】
本発明は、上記のような調査と研究に基づいてなされたもので、グリルを備えていながら正面側のデザイン性を高めることができる構造の、グリル付きシステムキッチンを提供することを課題とする。
【課題を解決するための手段】
【０００６】
上記の課題は、グリル付き加熱調理部を有し、グリル口が正面側に備えられたシステムキッチンにおいて、
前記グリル付き加熱調理部の正面側の全体を背後に隠す開閉可能な蓋が備えられ、該蓋は、閉じた状態にすることによりグリル口を隠蔽し、開いた状態にすることによりグリル口を露出させるようになされており、かつ、
該蓋の外面部は、システムキッチン正面側の収納等の他部の化粧面材とデザイン的に統一のとられた化粧面材で仕上げられていることを特徴とするグリル付きシステムキッチンによって解決される。
【０００７】
このシステムキッチンによれば、グリル付き加熱調理部の正面側全体を背後に隠す開閉可能な蓋が備えられ、該蓋は、閉じた状態にすることによりグリル口を隠蔽するようになされており、該蓋の外面部は、システムキッチン正面側の収納等の他部の化粧面材とデザイン的に統一のとられた化粧面材で仕上げられているので、グリル口が、システムキッチンの正面側のデザイン性を高める上での障害にならず、システムキッチンの正面側のデザイン性を高めることができる。なお、「正面側」とは、グリル口のある側をいう。
【０００８】
しかも、蓋は、開いた状態にすることによりグリル口を露出させるようになされているので、蓋を開くことにより、一般的なグリル付きシステムキッチンと同様にグリルを使用した調理を行うことができる。
【発明の効果】
【０００９】
本発明グリル付きシステムキッチンは、以上のとおりのものであるから、グリルを備えていながら正面側のデザイン性を高めることができる。
【発明を実施するための最良の形態】
【００１０】
次に、本発明の実施最良形態を図面に基づいて説明する。
【００１１】
図１に示す実施形態のシステムキッチン１において、２はシンク、３は加熱調理部であり、加熱調理部３は、天面側のコンロ部４と、その下部に組み込まれたグリル部５とで構成され、加熱調理部３の正面側には蓋６が備えられ、該蓋６は、図１（ロ）（ハ）に示すように、プルダウン方式で開閉するようになされていて、開いた状態にすることによりグリル口５ａを露出させ、閉じた状態にすることによりグリル口５ａを背後にして加熱調理部３の正面側の全体を隠蔽するようになされている。本実施形態では、蓋６は、１／４円弧状をしていて、中央部が切り欠かれており、開いた状態で、グリル口５ａを通じて正面側から調理物の出し入れを行うことができるようになされていると共に、中央切欠き部の両側の円弧面部には、加熱調理操作部７が設けられていて、蓋６を開いて加熱調理操作部７を操作することにより、天面側のコンロ部４やグリル５での加熱調理を行うことができるようになされている。
【００１２】
そして、閉じた状態における蓋６の外面部は、システムキッチン１の正面側の収納等の他部８…の化粧面材９…とデザイン的に統一のとられた化粧面材９で仕上げられている。なお、デザイン的な統一性は、蓋６の化粧面材９を収納…等の他部８の化粧面材９…と色彩、光沢等において同じデザインにする場合のほか、収納等の他部８…の化粧面材９…との組み合わせにおいて一つのデザインを構成するものであってもよいし、全体としてまとまりのある統一性のとられたデザイン構成が採用されたものであればよい。
【００１３】
このように、従来なら、グリル付きシステムキッチンにおいてグリルがシステムキッチンの正面側に常に露出していたがゆえに、システムキッチンの正面側全体のデザイン設計がグリルの存在によって妨げられていたところを、本発明では、加熱調理部３の正面側全体を隠蔽する蓋６を設け、蓋６の外面部を化粧面材で仕上げる構成にすることにより、システムキッチン１の正面側をデザイン性の高いものに仕上げることができるようになり、システムキッチン１の正面側についてのデザイン設計の幅を広くすることができる。
【００１４】
しかも、蓋６は、開いた状態にすることによりグリル口５ａを正面側に露出させることができるようになされているので、蓋６を開くことにより、従来の一般的なグリル付きシステムキッチンと同様にグリルを使用した調理を行うことができる。
【００１５】
以上に、本発明の実施形態を示したが、本発明はこれに限られるものではなく、発明思想を逸脱しない範囲で各種の変更が可能である。例えば、上記の実施形態では、加熱調理操作部７が蓋６に備えられている場合を示しているが、加熱調理操作部は、加熱調理部３の正面側に備えられて蓋で隠蔽されるようになされていてもよいし、加熱調理部３の天面側に備えられていてもよい。また、グリル部５での調理は、上記の化粧蓋６をグリル口５ａ用の蓋として用いるようになされていてもよいが、好ましくは、グリル口５ａ用の透明蓋の外側に上記の化粧蓋６を備えさせ、グリルを用いた調理中、化粧蓋６は開き、透明蓋は閉じた状態にし、透明蓋を通じてグリル部５内の調理物の状態を見ながら、グリル調理をすることができるようになされているとよい。また、蓋６は、プルダウン方式のほか、スライドシャッター式、着脱式等の各種式によって加熱調理部３の正面側を開閉するようになされたものであってよい。
【図面の簡単な説明】
【００１６】
【図１】実施形態のグリル付きシステムキッチンを示すもので、図（イ）は全体正面図、図（ロ）は同システムキッチンの加熱調理部を示すもので、蓋が閉じられた状態の斜視図、図（ハ）は蓋が開かれた状態の斜視図である。
【図２】従来のシステムキッチンを示すもので、図（イ）は全体正面図、図（ロ）は同システムキッチンの加熱調理部を示す正面図である。
【符号の説明】
【００１７】
１…グリル付きシステムキッチン
３…加熱調理部
５…グリル部
５ａ…グリル口
６…蓋
８…収納等の他部
９…化粧面材
【図１】
2006255038.tif 000003
【図２】
2006255038.tif 000004